(57)【要約】【課題】より信頼性の高い照明装置を提供する。【解決手段】異なる発光色を発光するＬＥＤ３を備え混色光を照射可能なＬＥＤユニット２を複数個設けた光源部１と、光源部１の点灯を制御する点灯制御部４とを有する照明装置１０であり、点灯制御部４は、特定のＬＥＤユニット２における所定のＬＥＤ３を点灯させて装置の状態を報知する報知点灯状態と、光源部１から照明光を照射させる照明点灯状態とを切替えるものであり、所定のＬＥＤ３が異常となった際、点灯制御部４は、報知点灯状態において、別のＬＥＤユニット２における異常を検知したＬＥＤ３と同じ発光色のＬＥＤ３を点灯させ、照明点灯状態において、異常を検知した所定のＬＥＤ３を備えた特定のＬＥＤユニット２を消灯させ他のＬＥＤユニット２を点灯させる。【選択図】図１
2014017058.tif 000002
【特許請求の範囲】
【請求項１】
異なる発光色の光を発光する少なくとも２種類以上のＬＥＤを備え該ＬＥＤからの異なる発光色の光の混色光を照射可能なＬＥＤユニットを複数個設け該ＬＥＤユニットからの混色光による照明光を照射する光源部と、該光源部の点灯を制御する点灯制御部とを有する照明装置であって、
前記点灯制御部は、複数個の前記ＬＥＤユニットのうち、特定の前記ＬＥＤユニットにおける所定の前記ＬＥＤを点灯させて装置の状態を報知する報知点灯状態と、複数個の前記ＬＥＤユニットを点灯させて前記光源部から照明光を照射させる照明点灯状態とを切替えて前記光源部の点灯を制御するものであり、
所定の前記ＬＥＤが異常となった際、前記点灯制御部は、前記報知点灯状態において、異常を検知した所定の前記ＬＥＤを備えた特定の前記ＬＥＤユニットとは別の前記ＬＥＤユニットにおける前記ＬＥＤのうち異常を検知した所定の前記ＬＥＤと同じ発光色の光を発光する前記ＬＥＤを点灯させ、前記照明点灯状態において、異常を検知した所定の前記ＬＥＤを備えた特定の前記ＬＥＤユニットを消灯させ他の前記ＬＥＤユニットを点灯させて前記光源部から照明光を照射させることを特徴とする照明装置。
【請求項２】
所定の前記ＬＥＤの異常を検知する異常検知部を備え、前記点灯制御部は、前記異常検知部からの検知信号に基づいて、前記光源部の点灯を制御することを特徴とする請求項１に記載の照明装置。
【請求項３】
前記点灯制御部は、外部の商用電源と電気的に接続させ、該商用電源の非常時に非常用電源からの電力の供給を受けて前記光源部を点灯させることを特徴とする請求項１に記載の照明装置。
【発明の詳細な説明】
【技術分野】
【０００１】
本発明は、照明装置に関する。
【背景技術】
【０００２】
近年、白熱灯や蛍光灯などと比較して、長寿命で小型且つ低消費電力のＬＥＤ（lightemitting diode）を光源として利用する照明装置が開発されている。
【０００３】
この種の照明装置として、図５に示す、発光ダイオード（ＬＥＤ）１０２と、発光ダイオード１０２を点灯させる点灯装置１０６とを有するＬＥＤ非常灯１００が知られている（たとえば、特許文献１）。
【０００４】
特許文献１のＬＥＤ非常灯１００は、少なくとも３個の発光ダイオード１０２が基体１０９に配設されている。ＬＥＤ非常灯１００は、開口部１３８，１３９，１４０に露出する出射面１０３ｂ，１０４ｂ，１０５ｂから発光ダイオード１０２の放射光が得られるレンズ１０３，１０４，１０５を有している。レンズ１０３，１０４，１０５は、取付部材１１２，１１５，１１２により基体１０９に固定されている。
【０００５】
特許文献１のＬＥＤ非常灯１００は、点灯装置１０６、商用交流電源でバッテリ１０７を充電する充電回路、停電時に点灯装置１０６とバッテリ１０７とを接続させる切換回路が点灯ユニット１２０内に設けられている。
【０００６】
また、ＬＥＤ非常灯１００には、発光ダイオード１０２やレンズ１０３，１０４，１０５などを収容する器具本体１０８の下面に、器具本体１０８と着脱自在な下カバー１３６が取り付けられている。特許文献１のＬＥＤ非常灯１００は、図６に示すように、レンズ１０３，１０４，１０５の出射面１０３ｂ，１０４ｂ，１０５ｂと略同等の大きさの開口部１３８，１３９，１４０が下カバー１３６の外面１３６ｂに形成されている。ＬＥＤ非常灯１００は、下カバー１３６の外周側にスリット状の開口部１４１および小孔１４２が設けられている。ＬＥＤ非常灯１００は、開口部１４１から引き紐１３０が引き出され、バッテリ１０７がフル充電の状態になると点灯する充電用モニター１２４が小孔１４２に臨んでいる。
【０００７】
特許文献１のＬＥＤ非常灯１００は、点検スイッチ（図示していない）の引き紐１３０が引っ張られると、点検スイッチがバッテリ１０７と点灯装置１０６とを接続する。これにより特許文献１のＬＥＤ非常灯１００では、停電時に、発光ダイオード１０２が点灯するか否かの点検を行うことができる、としている。
【０００８】
なお、器具本体１０８は、天井１３３の開口１３４に装着し得るように略筒状の形状に形成され、器具本体１０８の外周面に複数の板ばね１３５，１３５が取り付けられている。
【先行技術文献】
【特許文献】
【０００９】
【特許文献１】特開２００７−２３４４０３号公報
【発明の概要】
【発明が解決しようとする課題】
【００１０】
ところで、照明装置は、種々の用途に用いられ自動点灯制御や調光制御など様々な機能を付与することが行われている。照明装置では、照明装置の信頼性を向上させるため、自動点灯制御や調光制御など様々な機能を有する装置の動作状態や故障しているか否かなどの装置の状態を報知するモニタを備えた構成とすることが考えられる。上述のＬＥＤ非常灯１００では、バッテリ１０７への充電がフル充電であるか否かの表示を充電用モニター１２４が行うことで、ＬＥＤ非常灯１００の装置の状態を報知させている。
【００１１】
しかしながら、特許文献１のＬＥＤ非常灯１００では、充電用モニター１２４に故障など何らかの異常が生ずると装置の状態を報知することができない恐れがある。照明装置は、より信頼性の高いものが求めれており、上述のＬＥＤ非常灯１００のごとき構成とするだけでは、十分ではなく更なる改良が求められている。
【００１２】
本発明は上記事由に鑑みてなされたものであり、その目的は、より信頼性の高い照明装置を提供することにある。
【課題を解決するための手段】
【００１３】
本発明の照明装置は、異なる発光色の光を発光する少なくとも２種類以上のＬＥＤを備え該ＬＥＤからの異なる発光色の光の混色光を照射可能なＬＥＤユニットを複数個設け該ＬＥＤユニットからの混色光による照明光を照射する光源部と、該光源部の点灯を制御する点灯制御部とを有する照明装置であって、上記点灯制御部は、複数個の上記ＬＥＤユニットのうち、特定の上記ＬＥＤユニットにおける所定の上記ＬＥＤを点灯させて装置の状態を報知する報知点灯状態と、複数個の上記ＬＥＤユニットを点灯させて上記光源部から照明光を照射させる照明点灯状態とを切替えて上記光源部の点灯を制御するものであり、所定の上記ＬＥＤが異常となった際、上記点灯制御部は、上記報知点灯状態において、異常を検知した所定の上記ＬＥＤを備えた特定の上記ＬＥＤユニットとは別の上記ＬＥＤユニットにおける上記ＬＥＤのうち異常を検知した所定の上記ＬＥＤと同じ発光色の光を発光する上記ＬＥＤを点灯させ、上記照明点灯状態において、異常を検知した所定の上記ＬＥＤを備えた特定の上記ＬＥＤユニットを消灯させ他の上記ＬＥＤユニットを点灯させて上記光源部から照明光を照射させることを特徴とする。
【００１４】
この照明装置において、所定の上記ＬＥＤの異常を検知する異常検知部を備え、上記点灯制御部は、上記異常検知部からの検知信号に基づいて、上記光源部の点灯を制御することが好ましい。
【００１５】
この照明装置において、上記点灯制御部は、外部の商用電源と電気的に接続させ、該商用電源の非常時に非常用電源からの電力の供給を受けて上記光源部を点灯させることが好ましい。
【発明の効果】
【００１６】
本発明の照明装置は、光源部の点灯を制御することにより、より信頼性の高い照明装置を提供することが可能になるという効果がある。
【図面の簡単な説明】
【００１７】
【図１】本実施形態の照明装置の斜視説明図である。
【図２】本実施形態の照明装置の動作を説明する動作説明図である。
【図３】本実施形態の照明装置の動作を説明する動作説明図である。
【図４】本実施形態の照明装置として非常用照明装置に利用した構成を説明する説明図である。
【図５】従来のＬＥＤ非常灯を示し、図６のＸ−Ｘ方向の概略縦断面図である。
【図６】従来のＬＥＤ非常灯の概略下面図である。
【発明を実施するための形態】
【００１８】
以下、本実施形態の照明装置１０を図１ないし図３に基づいて説明する。なお、図中において同じ部材に対しては、同じ番号を付している。
【００１９】
本実施形態の照明装置１０は、図１に示すように、照明光を照射する光源部１を有している。光源部１は、複数個（ここでは、５個）のＬＥＤユニット２を設けている。ＬＥＤユニット２それぞれは、複数個（ここでは、３個）のＬＥＤ３を備えている。ＬＥＤユニット２における複数個のＬＥＤ３は、異なる発光色の光を発光する。各ＬＥＤユニット２は、２種類以上のＬＥＤ３を備えるものとして、たとえば、赤色（Ｒ）を発光する赤色ＬＥＤ３ｒと、緑色（Ｇ）を発光する緑色ＬＥＤ３ｇと、青色（Ｂ）を発光する青色ＬＥＤ３ｂとをそれぞれ備えている。すなわち、照明装置１０は、異なる発光色の光を発光する少なくとも２種類以上のＬＥＤ３を備えＬＥＤ３からの異なる発光色の光の混色光を照射可能なＬＥＤユニット２を複数個設けＬＥＤユニット２からの混色光による照明光を照射する光源部１を有している。また、照明装置１０は、光源部１の点灯を制御する点灯制御部４を有している。
【００２０】
照明装置１０の点灯制御部４は、複数個のＬＥＤユニット２のうち、特定のＬＥＤユニット２における所定のＬＥＤ３を点灯させて装置の状態を報知する報知点灯状態に光源部１の点灯を制御することができる（図２（ａ）を参照）。なお、図２（ａ）では、所定のＬＥＤ３として緑色ＬＥＤ３ｇを用いており、点灯した緑色ＬＥＤ３ｇからの光Ｌ１を破線の矢印で示している。
【００２１】
また、点灯制御部４は、複数個のＬＥＤユニット２を点灯させて光源部１から照明光を照射させる照明点灯状態に光源部１の点灯を制御することができる（図２（ｂ）を参照）。図２（ｂ）では、全てのＬＥＤユニット２を点灯させた光源部１からの照明光Ｌ２を破線の矢印で示している。すなわち、点灯制御部４は、上記報知点灯状態（図２（ａ））と照明点灯状態（図２（ｂ））とを切替えて光源部１の点灯を制御する。
【００２２】
ところで、照明装置１０では、所定のＬＥＤ３（図２（ａ）の緑色ＬＥＤ３ｇ）の故障や所定のＬＥＤ３の寿命により予め設定した輝度でＬＥＤ３が発光しない場合など所定のＬＥＤ３に異常が生ずる恐れがある。また、照明装置１０では、所定のＬＥＤ３（図２（ａ）の緑色ＬＥＤ３ｇ）に給電する給電線の断線などにより、所定のＬＥＤ３に異常が生じていると見做せる場合がある。
【００２３】
本実施形態の照明装置１０では、所定のＬＥＤ３が異常となった際、点灯制御部４は、上記報知点灯状態において、光源部１に次の制御を行う。本実施形態の照明装置１０では、異常を検知した所定のＬＥＤ３を備えた特定のＬＥＤユニット２とは別のＬＥＤユニット２におけるＬＥＤ３のうち異常を検知した所定のＬＥＤ３と同じ発光色の光を発光するＬＥＤ３を点灯制御部４が点灯させる（図３（ａ）を参照）。図３（ａ）では、図２（ａ）における所定のＬＥＤ３と同じ発光色（たとえば、緑色）の光を発光するＬＥＤ３として緑色ＬＥＤ３ｇを用いており、点灯した緑色ＬＥＤ３ｇからの光Ｌ３を破線の矢印で示している。本実施形態の照明装置１０では、上記報知点灯状態において、異常となったＬＥＤ３を備えたＬＥＤユニット２から同色系のＬＥＤ３を備えた隣接する別のＬＥＤユニット２へ装置の状態を報知する機能を移している（図３（ａ）中の破線の太矢印を参照）。
【００２４】
また、本実施形態の照明装置１０では、所定のＬＥＤ３が異常となった際、点灯制御部４は、上記照明点灯状態において、光源部１に次の制御を行う。本実施形態の照明装置１０では、異常を検知した所定のＬＥＤ３を備えた特定のＬＥＤユニット２を消灯させ他のＬＥＤユニット２を点灯制御部４が点灯させて光源部１から照明光を照射させる（図３（ｂ）を参照）。図３（ｂ）では、異常を検知したＬＥＤ３を備えたＬＥＤユニット２以外の他のＬＥＤユニット２からの照明光Ｌ４を破線の矢印で示している。
【００２５】
本実施形態の照明装置１０は、装置の状態を報知させるＬＥＤ３として予め設定した所定のＬＥＤ３に異常が生じても、上記報知点灯状態において、別のＬＥＤユニット２のＬＥＤ３を利用することで、装置の状態が不明となることを避けることが可能となる。
【００２６】
また、照明装置１０では、ＬＥＤ３が白熱灯や蛍光灯などと比較して長寿命とはいえＬＥＤ３に劣化が生ずる恐れがあるだけでなく、装置の故障によりＬＥＤ３への給電に何らかの支障を生ずる恐れもある。照明装置１０は、ＬＥＤユニット２からの混色光による照明光を照射する光源部１を利用する場合、ＬＥＤ３に異常があればＬＥＤユニット２から照射される光により光源部１から照射させる照明光の色調が変化する場合がある。本実施形態の照明装置１０は、所定のＬＥＤ３に異常が生じても、上記照明点灯状態において、異常なＬＥＤ３を備えたＬＥＤユニット２を点灯させず消灯した状態を維持し他のＬＥＤユニット２を点灯させている。本実施形態の照明装置１０では、異常なＬＥＤ３を備えたＬＥＤユニット２から照射される光により光源部１から照射させる照明光の色調が変化することを抑制することが可能になる。
【００２７】
すなわち、本実施形態の照明装置１０は、光源部１の点灯を制御することにより、より信頼性を高くすることが可能になる。
【００２８】
なお、本実施形態の照明装置１０では、一端側が開口し外形が有底円筒状の器具本体１０ａを備えている。照明装置１０では、器具本体１０ａの内部に、光源部１を構成するＬＥＤユニット２、点灯制御部４や非常用電源６を内蔵する構成としている。照明装置１０は、ＬＥＤユニット２のＬＥＤ３から光を照射できるように照射窓を備えた蓋部１０ｂを、器具本体１０ａの上記開口に覆設している。照明装置１０は、たとえば、固定螺子を適宜に用いることによって、天井に器具本体１０ａを取り付けてもよいし、壁面に器具本体１０ａを取り付けてもよい。
【００２９】
また、本実施形態の照明装置１０では、異常となったＬＥＤ３を備えるＬＥＤユニット２ごとに交換可能なように、ＬＥＤユニット２と点灯制御部４とを電気的に接続させるコネクタ部４ｅを好適に備えている。
【００３０】
以下、本実施形態の照明装置１０を非常用照明装置に利用した場合について図４を用いて詳述する。
【００３１】
本実施形態の照明装置１０では、光源部１と、光源部１の点灯を制御する点灯制御部４と、商用電源ＡＣの非常時に光源部１へ電力の供給が可能な非常用電源６とを備えている。また、本実施形態の照明装置１０は、所定のＬＥＤ３の異常を検知する異常検知部５を各ＬＥＤユニット２ごとに備えている。
【００３２】
光源部１は、複数個のＬＥＤユニット２を備えている。ＬＥＤユニット２は、互いに異なる色で発光する３つのＬＥＤ３を備えて構成している。ＬＥＤユニット２は、赤色光を発光可能な赤色ＬＥＤ３ｒ、緑色光を発光可能な緑色ＬＥＤ３ｇ、青色光を発光可能な青色ＬＥＤ３ｂで構成されている。ＬＥＤユニット２は、赤色ＬＥＤ３ｒ、緑色ＬＥＤ３ｇおよび青色ＬＥＤ３ｂからの異なる発光色の光の混色光を照射可能に構成している。照明装置１０は、ＬＥＤユニット２からの混色光による白色光を光源部１から照明光として照射させることができる。照明装置１０は、光源部１の各ＬＥＤユニット２における各ＬＥＤ３を点灯制御部４と電気的に接続している。
【００３３】
点灯制御部４には、光源部１を点灯させる点灯回路部４ａと、商用電源ＡＣが停電となっているか否かを検出する停電検出回路部４ｂとを備えている。また、点灯制御部４は、非常用電源６の充電を制御する充電制御回路部４ｃと、異常検知部５からの検知信号に基づき点灯回路部４ａを制御する信号処理回路部４ｄとを備えている。非常用電源６は、非常用電源６の内部に電気的に直列接続させた複数個の二次電池（図示していない）を備えている。
【００３４】
点灯回路部４ａは、外部の商用電源ＡＣの非常時に非常用電源６を入力電源として、複数個のＬＥＤユニット２それぞれを構成する各ＬＥＤ３にそれぞれ電流を流して点灯させることが可能に構成している。停電検出回路部４ｂは、商用電源ＡＣから供給される電力の状態を監視しており、商用電源ＡＣの停電など非常時となったことを検出した場合、点灯回路部４ａ側に検出信号を出力する。本実施形態の照明装置１０では、停電検出回路部４ｂの検出結果に基づいて、点灯回路部４ａが商用電源ＡＣの非常時に光源部１を点灯させるように制御する。照明装置１０は、停電検出回路部４ｂが商用電源ＡＣの非常時を検出していない場合、商用電源ＡＣからの電力の供給を受けて充電制御回路部４ｃが非常用電源６を充電している。
【００３５】
すなわち、照明装置１０は、停電検出回路部４ｂが商用電源ＡＣの停電など電源遮断状態を検出し、充電制御回路部４ｃや点灯回路部４ａに停電を示す検出信号を出力する。照明装置１０では、検出信号が充電制御回路部４ｃに入力されると、非常用電源６への充電を中断する。また、照明装置１０では、検出信号が点灯回路部４ａ入力されると、点灯回路部４ａは、非常用電源６からの電力により光源部１の点灯を行うように光源部１を制御する。すなわち、照明装置１０は、常時に商用電源ＡＣで非常用電源６を充電させ、商用電源ＡＣの異常時に非常用電源６から光源部１に電力を供給させるように、点灯制御部４と非常用電源６とを接続させている。照明装置１０は、点灯回路部４ａがＬＥＤユニット２に各別に電流を流すことで、全てのＬＥＤユニット２を点灯させる。本実施形態の照明装置１０では、光源部１が複数個のＬＥＤユニット２それぞれから照射される赤色光、緑色光および青色光を合成した混色光による白色光を照射する。
【００３６】
なお、照明装置１０は、非常用照明装置として用いる場合、日本において、日本照明器具工業会の規格「誘導灯器具及び避難誘導システム用装置技術基準（ＪＩＬ５５０２）」や「非常用照明器具技術基準（ＪＩＬ５５０１）」に適合させる必要がある場合がある。
【００３７】
本実施形態の照明装置１０は、周囲温度１４０度の状態で光源部１から照射される光が１ｌｘの床面照度を確保できるように点灯回路部４ａが各ＬＥＤ３の電流の大きさを制御して、上述の日本照明器具工業会の規格に適合させている。
【００３８】
また、上述の日本照明器具工業会の規格では、光源に蛍光灯を用いた非常用照明装置として、蓄電池の容量を報知する充電モニタやランプが正常か否かなどを報知するランプモニタを備えることが求められている。日本照明器具工業会の規格では、充電モニタやランプモニタの表示色や点灯動作によって装置の状態を報知するように規定されている。
【００３９】
本実施形態の照明装置１０では、蓄電池として機能する非常用電源６の状態を報知する充電モニタとして、緑色（Ｇ）で発光する特定のＬＥＤユニット２における所定のＬＥＤ３（緑色ＬＥＤ３ｇ）を用いている。照明装置１０は、商用電源ＡＣから電力が供給されており停電検出回路部４ｂが商用電源ＡＣの非常時を検出していない場合、上記報知点灯状態において、充電制御回路部４ｃが非常用電源６の両端電圧に基づいて、非常用電源６の充電状態を判断する。照明装置１０では、上記報知点灯状態において、充電制御回路部４ｃにより非常用電源６の両端電圧が所定の電圧以上であれば、点灯回路部４ａは、充電モニタとなる緑色ＬＥＤ３ｇを点灯するように制御する。また、照明装置１０では、上記報知点灯状態において、たとえば、非常用電源６が未接続など充電制御回路部４ｃにより非常用電源６の両端電圧が検出できない場合、点灯回路部４ａが充電モニタとなる緑色ＬＥＤ３ｇを消灯させる。照明装置１０は、上記報知点灯状態において、充電制御回路部４ｃが非常用電源６の両端電圧に基づいて非常用電源６の寿命と判断すると、点灯回路部４ａが充電モニタとなる緑色ＬＥＤ３ｇを点滅させる。充電制御回路部４ｃは、たとえば、非常用電源６を点検する場合、非常用電源６の充電状態から適宜の抵抗などからなる擬似負荷（図示していない）への放電状態へと切り替える。充電制御回路部４ｃは、たとえば、所定時間が経過したときの非常用電源６の端子間の電圧を測定して、測定した電圧が、非常用電源６が適正値となる予め規定した所定の電圧以上であれば、非常用電源６が適正であると判断すればよい。また、充電制御回路部４ｃは、非常用電源６の端子間の測定電圧が、予め規定した所定の電圧未満であれば、非常用電源６が寿命と判断すればよい。
【００４０】
本実施形態の照明装置１０は、光源部１のＬＥＤユニット２に備えられた所定のＬＥＤ３が、商用電源ＡＣの停電時など非常時における照明点灯状態の非常用光源と、報知点灯状態における非常用電源６の充電状態などを表示する充電モニタとを兼用している。これにより本実施形態の照明装置１０は、充電モニタと、非常用光源とを別体に設ける非常用照明装置と比較して、部品点数を削減することができ、照明装置１０の構造を簡易化することが可能となる。
【００４１】
なお、照明装置１０では、光源部１の所定の緑色ＬＥＤ３ｇを充電モニタとして機能させる場合、照明装置１０の外部から非常用電源６の充電状態などを緑色ＬＥＤ３ｇで認識できればよい。したがって、照明装置１０は、所定の緑色ＬＥＤ３ｇを充電モニタとして機能させる場合、非常用光源の一部として機能させる場合よりも、緑色ＬＥＤ３ｇに流す電流を小さくすることができる。照明装置１０では、報知点灯状態において、緑色ＬＥＤ３ｇの光量を照明点灯状態と比較して低下させるように、点灯回路部４ａが緑色ＬＥＤ３ｇを制御することが好ましい。本実施形態の照明装置１０では、光源部１の異常を報知する光源モニタとして、赤色（Ｒ）で発光する特定のＬＥＤユニット２における所定のＬＥＤ３（赤色ＬＥＤ３ｒ）を用いている。本実施形態の照明装置１０では、光源モニタとして機能させるＬＥＤ３ｒを備えた特定のＬＥＤユニット２として、充電モニタとして機能させる緑色ＬＥＤ３ｇのＬＥＤユニット２と同じＬＥＤユニット２を利用しているが、他のＬＥＤユニット２を用いてもよい。
【００４２】
照明装置１０は、たとえば、異常検知部５からの検知信号に基づき信号処理回路部４ｄが光源部１における複数個のＬＥＤユニット２のうち、何れか１つに異常が発生して光源部１が正常に点灯できなくなったか否かを検知する。照明装置１０は、光源部１における複数個のＬＥＤユニット２のうち、何れか１つに異常が発生して光源部１が正常に点灯できなくなった場合、光源モニタとして所定の赤色ＬＥＤ３ｒを点灯させるように、点灯回路部４ａが赤色ＬＥＤ３ｒを制御する。照明装置１０は、上記報知点灯状態において、光源部１を構成する複数個のＬＥＤユニット２のいずれかが電気的に未接続と信号処理回路部４ｄが判断した場合、点灯回路部４ａは、光源モニタとなる赤色ＬＥＤ３ｒを点灯するように制御する。また、照明装置１０は、上記報知点灯状態において、ＬＥＤユニット２のＬＥＤ３が寿命に達したと信号処理回路部４ｄが判断した場合、たとえば、点灯回路部４ａが赤色ＬＥＤ３ｒを点滅させる。照明装置１０は、上記報知状態において、赤色ＬＥＤ３ｒから赤色光を照射させることで、照明装置１０の外部に光源部１の異常を報知することができる。なお、照明装置１０では、ＬＥＤ３に流れる電流を検出する電流検出部、ＬＥＤ３の電圧を検出する電圧検出部やＬＥＤ３の光出力を検出する光検出部を異常検知部５として設け、ＬＥＤ３が異常か否かの判別に利用すればよい。
【００４３】
照明装置１０は、たとえば、商用電源ＡＣの非常時に光源部１が正常に点灯するか否かの照明装置１０の動作を確認する定期点検時において、ＬＥＤユニット２の各ＬＥＤ３ｒ，３ｇ，３ｂに電流を流して光源部１を点灯させる。照明装置１０は、たとえば、異常検知部５が各々のＬＥＤ３ｒ，３ｇ，３ｂの両端電圧を測定する。照明装置１０は、測定したＬＥＤ３ｒ，３ｇ，３ｂの両端電圧が正常時の電圧値を示す所定の基準範囲内である場合、信号処理回路部４ｄが各ＬＥＤ３を正常と判断し、基準範囲外である場合は異常と判断すればよい。
【００４４】
本実施形態の照明装置１０では、照明装置１０の定期点検時において、光源部１の特定のＬＥＤユニット２における所定のＬＥＤ３が異常となっている場合、光源部１を照明点灯状態とさせると、異常となったＬＥＤ３を備えたＬＥＤユニット２が消灯している。照明装置１０は、照明点灯状態において、異常となったＬＥＤ３を備え消灯しているＬＥＤユニット２のみ交換することで光源部１を正常に維持することが可能となる。そのため、照明装置１０では、ＬＥＤユニット２それぞれを照明装置１０から交換可能に構成していることが、より好ましい。
【００４５】
なお、照明装置１０は、商用電源ＡＣから電力が正常に供給されている状態において、定期的にＬＥＤ３が点灯しない微小電流（たとえば、数１０μＡ）を流し、異常検知部５が各々のＬＥＤ３の両端電圧を測定することでＬＥＤ３の異常を検知してもよい。照明装置１０は、点灯回路部４ａが定期的に微小電流を流しＬＥＤ３の両端電圧を測定することで、複数個のＬＥＤユニット２のうち少なくとも１つのＬＥＤユニット２のＬＥＤ３が異常か否かを判断することができる。照明装置１０は、ＬＥＤ３が異常か否かの点検を定期的に自動的に検知するものでもよいし、手動や外部からの信号に基づいてＬＥＤ３の異常を検知するものでもよい。
【００４６】
また、照明装置１０は、光源部１の所定の赤色ＬＥＤ３ｒを光源モニタとして機能させる場合、照明装置１０の外部から光源部１の状態を赤色ＬＥＤ３ｒで認識できればよい。したがって、照明装置１０は、所定の赤色ＬＥＤ３ｒを光源モニタとして機能させる場合、非常用光源の一部として機能させる場合よりも、赤色ＬＥＤ３ｒに流す電流を小さくすることができる。照明装置１０では、報知点灯状態において、赤色ＬＥＤ３ｒの光量を照明点灯状態と比較して低下させるように、点灯回路部４ａが赤色ＬＥＤ３ｒを制御することが好ましい。
【００４７】
なお、照明装置１０は、光源モニタに用いている赤色ＬＥＤ３ｒが異常となった場合、異常検知部５が赤色ＬＥＤ３ｒの異常を検知し信号処理回路部４ｄに検知信号を出力する。照明装置１０は、検知信号を受信した信号処理回路部４ｄにより制御された点灯回路部４ａが異常となった赤色ＬＥＤ３ｒの代わりに、他のＬＥＤユニット２の中のうち、正常な赤色ＬＥＤ３ｒの一つを光源モニタとして点灯などさせる。これにより、照明装置１０は、光源モニタが不点灯となることを抑制することが可能となる。
【００４８】
同様に、照明装置１０は、充電モニタに用いている緑色ＬＥＤ３ｇが異常となった場合、異常検知部５が緑色ＬＥＤ３ｇの異常を検知し信号処理回路部４ｄに検知信号を出力する。照明装置１０は、検知信号を受信した信号処理回路部４ｄにより制御された点灯回路部４ａが異常となった緑色ＬＥＤ３ｇの代わりに、他のＬＥＤユニット２の中のうち、正常な緑色ＬＥＤ３ｇの一つを充電モニタとして点灯などさせる。これにより、照明装置１０は、充電モニタが不点灯となることを抑制することが可能となる。
【００４９】
本実施形態の照明装置１０では、所定のＬＥＤ３が異常となった際、点灯制御部４は、照明点灯状態において、異常を検知した所定のＬＥＤ３を備えた特定のＬＥＤユニット２を消灯させる。そのため、照明装置１０では、所定のＬＥＤ３が異常となった際、照明点灯状態において、光源部１からの照度が低下する恐れがある。本実施形態の照明装置１０では、所定のＬＥＤ３が異常となった際、照明点灯状態において、異常を検知した所定のＬＥＤ３を備えた特定のＬＥＤユニット２以外の他のＬＥＤユニット２の各ＬＥＤ３に流れる電流を増加させて、消灯させたＬＥＤユニット２の光量を補うことができる。
非常用照明装置では、たとえば、３０分間の間、直接照明の床面照度で１ｌｘ以上確保できればよく、光量を補うＬＥＤユニット２のＬＥＤ３に電流の増加に伴う負担が掛かりＬＥＤ３の寿命が短くなっても弊害が少ない。
【００５０】
本実施形態の照明装置１０では、所定のＬＥＤ３が異常となった際、異常となっていない他のＬＥＤユニット２に充電モニタや光源モニタなど装置の状態を報知する機能を移すことができる。本実施形態の照明装置１０では、装置の状態を報知する機能を移したＬＥＤユニット２の所定のＬＥＤ３が異常となった際には、同様に、異常となっていない別のＬＥＤユニット２に装置の状態を報知する機能を更に移せばよい。
【００５１】
本実施形態の照明装置１０は、複数個のＬＥＤユニット２を光源部１に設けており、異常となっていないＬＥＤユニット２がある限り、上記報知点灯状態において、異常となったＬＥＤ３を備えたＬＥＤユニット２から正常なＬＥＤ３を備えたＬＥＤユニット２に装置の状態を報知する機能を移し続けることが可能となる。したがって、本実施形態の照明装置１０は、複数個のＬＥＤユニット２のうち、正常なＬＥＤユニット２が光源部１にある限り、上記報知点灯状態において所定のＬＥＤ３を点灯させて装置の状態を報知することができる。
【００５２】
さらに、本実施形態の照明装置１０は、所定のＬＥＤ３が異常となった際、異常となった所定のＬＥＤ３を備えたＬＥＤユニット２の機能を停止させる。これにより、本実施形態の照明装置１０は、光源部１の点灯時、異常となったＬＥＤ３を備えたＬＥＤユニット２からの照明光による色調の変化を抑えることが可能となる。
【００５３】
言い換えれば、本実施形態の照明装置１０は、所定のＬＥＤ３が異常となった際、上記報知点灯状態による装置の状態の報知ができなくなることを回避可能であり、同時に異常となったＬＥＤ３を備えたＬＥＤユニット２からの照明光による色調の変化を抑えることが可能となる。
【００５４】
また、本実施形態の照明装置１０では、上記報知点灯状態の所定のＬＥＤ３と、所定のＬＥＤ３と同じＬＥＤユニット２内の他のＬＥＤ３とは、点灯時間の差に起因して所定のＬＥＤ３の光出力が低下する場合がある。本実施形態の照明装置１０は、所定のＬＥＤ３の光出力が低下し異常となった所定のＬＥＤ３を含むＬＥＤユニット２の機能を停止させることにより、上記照明点灯状態において、ＬＥＤユニット２から照射される混色光の色ずれを抑制することもできる。
【００５５】
本実施形態の照明装置１０は、所定のＬＥＤ３の異常を検知する異常検知部５を備え、点灯制御部４は、異常検知部５からの検知信号に基づいて、光源部１の点灯を制御する。これにより、本実施形態の照明装置１０では、所定のＬＥＤ３の異常を検知する異常検知部５からの検知信号に基づいて光源部１の点灯を制御することで、光源部１からの照明光の色調や光量を、より正確に調整することが可能となる。
【００５６】
また、本実施形態の照明装置１０では、点灯制御部４は、外部の商用電源ＡＣと電気的に接続させ、商用電源ＡＣの非常時に非常用電源６からの電力の供給を受けて光源部１を点灯させる。本実施形態の照明装置１０では、光源部１の点灯を制御することで、より信頼性を高い非常用照明装置とすることが可能になる。
【００５７】
すなわち、本実施形態の照明装置１０は、非常用電源６や非常時に点灯する光源部１の異常など装置の状態を、外部に報知する機能を備えた非常用照明装置となっている。
【００５８】
以下、本実施形態の照明装置１０の各構成について、より具体的に詳述する。
【００５９】
光源部１は、複数個のＬＥＤユニット２を備えており、ＬＥＤユニット２からの混色光による照明光を照射できればよい。光源部１は、商用電源ＡＣや非常用電源６などにより電力が供給されて照明光を照射することが可能となる。
【００６０】
ＬＥＤユニット２は、異なる発光色の光を発光する少なくとも２種類以上のＬＥＤ３を備えるものである。ＬＥＤユニット２は、照明装置１０から着脱可能に図示していないコネクタなどを備えることが好ましい。また、ＬＥＤユニット２は、異なる発光色の光を発光するＬＥＤ３として、補色となる光を発する複数類のＬＥＤ３を組み合わせて白色光を照射できることが好ましい。ＬＥＤユニット２は、異なる発光色の光を発光するＬＥＤ３の数を、必ずしも異なる発光色ごとに１対１の数に対応させる必要はない。したがって、ＬＥＤユニット２は、たとえば、３個の青色ＬＥＤ３ｂと、２個の緑色ＬＥＤ３ｇと、１個の赤色ＬＥＤ３ｒとを用いて構成することもできる。ＬＥＤユニット２は、各ＬＥＤ３を図示していない配線基板の配線パターンを用いて電気的に直列接続、並列接続や直並列接続させて構成してもよい。
【００６１】
ＬＥＤ３は、給電により光を照射することが可能な半導体発光素子である。ＬＥＤ３は、たとえば、赤色光を発光する赤色ＬＥＤチップ、緑色光を発光する緑色ＬＥＤチップおよび青色光を発光する青色ＬＥＤチップを用いることができる。また、ＬＥＤ３は、青色光を発光する青色ＬＥＤチップや黄色光を発光する黄色ＬＥＤチップを用いてもよい。さらに、ＬＥＤ３は、青色光や紫外線を発するＬＥＤチップと、ＬＥＤチップから放射された光エネルギーにより励起されて、より長波長の光を放射する粒子状の蛍光体（たとえば、青色光により励起され発光波長域がブロードな黄色系の光を放射する蛍光体や紫外線により励起され青色、緑色および赤色をそれぞれ発光可能な３種類の蛍光体など）が含有された色変換部材とを備えたものを利用することもできる。
【００６２】
ＬＥＤ３は、ベアチップとなるＬＥＤチップでもよいし、ＬＥＤチップを合成樹脂などのパッケージで被覆させ外部に給電のためのリード端子が設けられた表面実装型発光ダイオードなどを用いてもよい。
【００６３】
点灯制御部４は、光源部１の点灯を制御するものである。点灯制御部４は、たとえば、商用電源ＡＣから供給される交流電力を整流した後に、平滑化して直流電流を出力する整流平滑部（図示していない）、該整流平滑部からの直流電流をＬＥＤ３に一定の電流として供給するための定電流電源部（図示していない）や適宜の制御プログラムを搭載したマイクロコンピュータなどを備えた構成とすることができる。点灯制御部４は、光源部１を点灯させる点灯回路部４ａと、商用電源ＡＣが停電となっているか否かを検出する停電検出回路部４ｂとを備えた構成とすることができる。また、点灯制御部４は、非常用電源６の充電を制御する充電制御回路部４ｃと、異常検知部５からの検知信号に基づき点灯回路部４ａを制御する信号処理回路部４ｄとを備えた構成とすることができる。
【００６４】
異常検知部５は、所定のＬＥＤ３の異常が検知可能なものであり、異常を検知した検知信号を点灯制御部４側に出力可能なものである。異常検知部５は、たとえば、ＬＥＤ３に流れる電流を検出する抵抗を備えた電流検出部、ＬＥＤ３の電圧を検出するための抵抗を備えた電圧検出部やＬＥＤ３の光出力を検出するフォトダイオードなどを備えた光検出部などにより構成することができる。
【００６５】
非常用電源６は、商用電源ＡＣの停電など非常時に光源部１に電力の供給が可能なものである。非常用電源６は、たとえば、ニッカド電池やニッケル水素電池などの二次電池を利用して構成することができる。また、非常用電源６は、一個の二次電池だけでもよいし、複数個の二次電池を直列、並列や直並列に接続させたものを用いてもよい。このような非常用電源６は、単電池をニッケル板などで接続して各種配列に並べ、熱収縮チューブや樹脂ケースなどでパックし、リード線やコネクタ、タブ端子が結線された組電池として用いることもできる。非常用電源６は、照明装置１０に内蔵した二次電池だけに限られず、商用電源ＡＣの非常時に電力が供給できれば、照明装置１０の外部に設けた発電機などにより構成してもよい。
【符号の説明】
【００６６】
ＡＣ  商用電源
１  光源部
２  ＬＥＤユニット
３  ＬＥＤ
４  点灯制御部
５  異常検知部
６  非常用電源
１０  照明装置
【図１】
2014017058.tif 000003
【図２】
2014017058.tif 000004
【図３】
2014017058.tif 000005
【図４】
2014017058.tif 000006
【図５】
2014017058.tif 000007
【図６】
2014017058.tif 000008